(57)【要約】【課題】新たに部品を追加することなく、記録処理の迅速化や記録処理時の動作状態の通知を実現し、目的とする被写体の映像を確実に記録できるようにする。【解決手段】制御部１００が、圧縮／伸張処理部４０とテープデッキ部６０とを制御し、カメラ部１０からの映像信号を圧縮符号化してＤＶテープに記録する場合に、既にＤＶテープに記録されている圧縮データを用いることなく、圧縮符号化を行って、ＤＶデータに記録するようにする。すなわち、新たに記録する映像データの圧縮符号化処理のために、既にＤＶテープに記録されている圧縮データの読み出し処理を行わないように制御し、映像データのＤＶテープへの記録開始までにかかる時間を短縮する。【選択図】図１
2006135606.tif 000002
【特許請求の範囲】
【請求項１】
被写体を撮像して映像信号を出力する撮像手段と、
前記撮像手段からの映像信号を、予測符号化を用いたデータ圧縮方式でデータ圧縮する圧縮処理手段と、
前記圧縮処理手段において圧縮された圧縮データを記録媒体に書き込む処理と、前記記録媒体に記録されている圧縮データを読み出す処理とを行うための書き込み／読み出し手段と、
映像信号の記録を開始するとき、前記記録媒体に既に記録されている圧縮データを、新たに記録する映像信号の圧縮符号化に用いないように、前記圧縮処理手段と前記書き込み／読み出し手段とを制御する制御手段と
を備えることを特徴とする撮像装置。
【請求項２】
請求項１に記載の撮像装置であって、
映像信号の記録を開始するとき、前記記録媒体に既に記録されている圧縮データを、新たに記録する映像信号の圧縮符号化に用いないようにするか、前記記録媒体に既に記録されている圧縮データを読み出して、新たに記録する映像信号の圧縮符号化に用いるようにするかの選択入力を受け付ける受付手段を備え、
前記制御手段は、前記記録媒体に記録されている圧縮データを読み出して、新たに記録する映像信号の圧縮符号化に用いるようにすることが選択された場合に、前記圧縮処理手段と前記書き込み／読み出し手段とを制御して、前記記録媒体に既に記録されている圧縮データを読み出して、これを新たに記録する映像信号の圧縮符号化に用いるように制御することを特徴とする撮像装置。
【請求項３】
請求項１または請求項２に記載の撮像装置であって、
ユーザーからの記録開始要求を受け付けてから、実際に前記記録媒体に圧縮データの記録を開始するまでの間において、記録準備中であることをユーザーに通知するようにする通知手段を備えることを特徴とする撮像装置。
【請求項４】
請求項２に記載の撮像装置であって、
映像信号の記録を開始するとき、前記記録媒体に既に記録されている圧縮データを読み出して、新たに記録する映像信号の圧縮符号化に用いるようにすることが選択されている場合に、ユーザーからの記録開始要求を受け付けてから、実際に前記記録媒体に圧縮データの記録を開始するまでの間において、記録準備中であることをユーザーに通知するようにする通知手段を備えることを特徴とする撮像装置。
【請求項５】
被写体を撮像して映像信号を出力する撮像工程と、
前記撮像工程において取り込んだ映像信号を、予測符号化を用いたデータ圧縮方式でデータ圧縮する場合に、前記記録媒体に既に記録されている圧縮データを新たに記録する映像信号の圧縮符号化に用いないようにしてデータ圧縮を行う第１の圧縮処理工程と、
前記第１の圧縮処理工程において圧縮符号化した映像データを前記記録媒体に記録する第１の記録工程と
を有する記録制御方法。
【請求項６】
請求項５に記載の記録制御方法であって、
映像信号を記録する場合に、前記記録媒体に既に記録されている圧縮データを読み出して、新たに記録する映像信号の圧縮符号化に用いないようにするか、前記記録媒体に既に記録されている圧縮データを読み出して、新たに記録する映像信号の圧縮符号化に用いるようにするかの選択入力を受け付ける受付工程と、
前記受付工程において、前記記録媒体に既に記録されている圧縮データを読み出して、新たに記録する映像信号の圧縮符号化に用いるようにすることの選択入力を受け付けた場合に、前記記録媒体に既に記録されている圧縮データを読み出す読み出し工程と、
前記読み出し工程において読み出した前記記録媒体に既に記録されている圧縮データを利用して、新たに記録する映像信号の圧縮符号化を行う第２の圧縮処理工程と、
前記第２の圧縮処理工程において圧縮符号化した圧縮データを前記記録媒体に記録する第２の記録工程と
を有することを特徴とする記録制御方法。
【請求項７】
請求項５または請求項６に記載の記録制御方法であって、
ユーザーからの記録開始要求を受け付けてから、実際に前記記録媒体に圧縮データの記録を開始するまでの間において、記録準備中であることをユーザーに通知するようにする通知工程を有することを特徴とする記録制御方法。
【請求項８】
請求項６に記載の記録制御方法であって、
映像信号の記録を開始するとき、前記記録媒体に既に記録されている圧縮データを読み出して、新たに記録する映像信号の圧縮符号化に用いるようにすることが選択されている場合に、ユーザーからの記録開始要求を受け付けてから、実際に前記記録媒体に圧縮データの記録を開始するまでの間において、記録準備中であることをユーザーに通知するようにする通知工程を備えることを特徴とする記録制御方法。
【発明の詳細な説明】
【技術分野】
【０００１】
この発明は、例えば、デジタルビデオカメラなど、撮像した映像信号を圧縮符号化（データ圧縮）して種々の記録媒体に記録する撮像装置および撮像装置で用いられる記録制御方法に関する。
【背景技術】
【０００２】
データの圧縮符号化方式として、ＭＰＥＧ（Moving Picture Experts Group）フォーマットなどと呼ばれる方式を用いたデジタルビデオカメラが広く用いられている。このようなデジタルビデオカメラにおいて、既に映像データが記録された記録媒体に対して、新たな映像をつなぎ撮りする場合には、新たに記録する映像が乱れることなく、過去に記録した映像データの後にスムーズにつなげて記録することができるようにするために、いわゆるつなぎ撮りシーケンス（つなぎ撮り処理）を行うようにしている。
【０００３】
このつなぎ撮りシーケンスにおいては、映像信号は予測符号化を用いたＭＰＥＧ方式の圧縮符号化処理によりデータ圧縮するため、新たに記録する映像信号をその画像が乱れることがないように圧縮符号化するには、既に記録媒体に記録されている所定量分の圧縮符号化された映像データが必要になる。このため、つなぎ撮りシーケンスにおいては、新たに記録する映像データを適正に圧縮符号化するために、既に記録媒体に記録されている所定量分の圧縮データを読み出す処理が行われる。
【０００４】
しかし、つなぎ撮りシーケンスにおいては、記録媒体に既に記録されている圧縮データの読み出しなどの処理を行うために、ユーザーから撮影の開始が指示されてから実際に映像データが記録媒体に記録されるまでにある程度の時間がかかる場合がある。つまり、記録開始指示から実際に記録媒体に映像データの記録が開始されるまでの間においてタイムラグが存在する。
【０００５】
このタイムラグを無くすため、後に記す特許文献１には、記録媒体以外の遅延メモリに映像（映像データ）を記録する手段を持つことにより、記録が指示された後実際に記録媒体に記録が開始されるまでの映像および記録が指示される以前の映像を記録できるようにする技術が開示されている。この特許文献１に記載の技術を用いることにより、記録の開始が指示された直後から撮影した映像の映像データを記録媒体に記録することができるようにされる。
【特許文献１】特開平８−３０６１３３号公報
【発明の開示】
【発明が解決しようとする課題】
【０００６】
しかしながら、上述の特許文献１に記載の技術を用いる場合には、ある程度の記憶容量を有する遅延メモリが必要になりなどするために、デジタルビデオカメラのコストアップ  につながってしまい、デジタルビデオカメラのコストダウンの要求に答えることができなくなってしまう。
【０００７】
また、上述した特許文献１に記載の技術を採用しないデジタルビデオカメラにおいては、記録の開始が指示されてから映像データの記録媒体への実際の記録が開始されるまでの間、上述したようにタイムラグが発生することになるが、実際に記録が開始されていないことをユーザーに対して明確に通知する必要がある。
【０００８】
以上のことに鑑み、この発明は、新たに部品を追加することなく、記録処理の迅速化や記録処理時の動作状態の通知を実現し、目的とする被写体の映像を確実に記録できるようにする装置、方法を提供することを目的とする。
【課題を解決するための手段】
【０００９】
上記課題を解決するため、請求項１に記載の発明の撮像装置は、
被写体を撮像して映像信号を出力する撮像手段と、
前記撮像手段からの映像信号を、予測符号化を用いたデータ圧縮方式でデータ圧縮する圧縮処理手段と、
前記圧縮処理手段において圧縮された圧縮データを記録媒体に書き込む処理と、前記記録媒体に記録されている圧縮データを読み出す処理とを行うための書き込み／読み出し手段と、
映像信号の記録を開始するとき、前記記録媒体に既に記録されている圧縮データを、新たに記録する映像信号の圧縮符号化に用いないように、前記圧縮処理手段と前記書き込み／読み出し手段とを制御する制御手段と
を備えることを特徴とする。
【００１０】
この請求項１に記載の発明の撮像装置によれば、制御手段により、圧縮処理手段と書き込み／読み出し手段とが制御され、撮像手段からの映像信号を圧縮符号化して記録媒体に記録する場合に、既に記録媒体に記録されている圧縮データを用いることなく、圧縮符号化を行って、記録媒体に記録するようにされる。
【００１１】
これにより、記録媒体に過去に記録した圧縮データにつなげて、新たな映像信号をデータ圧縮して記録する場合に、新たに記録する映像信号を圧縮符号化するために記録媒体に既に記録されている圧縮データを読み出す処理を省略することができ、撮影の開始指示を受け付けてから、撮影して得た映像信号をデータ圧縮して記録媒体に記録するまでにかかる時間を短縮できるようにされる。したがって、目的とする被写体の映像を確実に記録することができるようにされる。しかもこの場合、バッファメモリなどの新たな部品を追加することもないようにされる。
【００１２】
また、請求項２に記載の発明の撮像装置は、請求項１に記載の撮像装置であって、
映像信号の記録を開始するとき、前記記録媒体に既に記録されている圧縮データを、新たに記録する映像信号の圧縮符号化に用いないようにするか、前記記録媒体に既に記録されている圧縮データを読み出して、新たに記録する映像信号の圧縮符号化に用いるようにするかの選択入力を受け付ける受付手段を備え、
前記制御手段は、前記記録媒体に記録されている圧縮データを読み出して、新たに記録する映像信号の圧縮符号化に用いるようにすることが選択された場合に、前記圧縮処理手段と前記書き込み／読み出し手段とを制御して、前記記録媒体に既に記録されている圧縮データを読み出して、これを新たに記録する映像信号の圧縮符号化に用いるように制御することを特徴とする。
【００１３】
この請求項２に記載の発明の撮像装置によれば、新たに映像信号を記録する場合に、記録媒体に既に記録されている圧縮データを新たに記録する映像信号の圧縮符号化に用いないようにするか、記録媒体に既に記録されている圧縮データを読み出して、新たに記録する映像信号の圧縮符号化に用いるようにするかの選択入力を受付手段を通じて受け付けることができるようにされる。
【００１４】
そして、記録媒体に既に記録されている圧縮データを読み出して、新たに記録する映像信号の圧縮符号化に用いるようにすることが選択された場合には、制御手段により前記圧縮処理手段と前記書き込み／読み出し手段とが制御され、記録媒体に既に記録されている圧縮データが読み出され、これが新たに記録する映像信号の圧縮符号化に用いられるようにされる。
【００１５】
これにより、いずれのモードを用いて新たに取得した映像信号を記録媒体に記録するかは、受付手段を通じてユーザーが任意に選択することができるようにされ、過去に記録媒体に記録した圧縮データとされた映像信号にスムーズにつなげるようにして、新たに取得した映像信号を圧縮符号化して記録媒体に記録することもできるようにされる。
【００１６】
また、請求項３に記載の発明の撮像装置は、請求項１または請求項２に記載の撮像装置であって、
ユーザーからの記録開始要求を受け付けてから、実際に前記記録媒体に圧縮データの記録を開始するまでの間において、記録準備中であることをユーザーに通知するようにする通知手段を備えることを特徴とする。
【００１７】
この請求項３に記載の発明の撮像装置によれば、ユーザーからの記録開始要求を受け付けてから実際に前記記録媒体に圧縮データの記録を開始するまでの間においては、通知手段により、記録準備中であることがユーザーに通知される。これにより、実際に記録媒体に記録される映像がどこからであるかをユーザーが明確に通知され、これをユーザーが明確に認識することができるようにされる。
【００１８】
また、請求項４に記載の発明の撮像装置は、請求項２に記載の撮像装置であって、
映像信号の記録を開始するとき、前記記録媒体に既に記録されている圧縮データを読み出して、新たに記録する映像信号の圧縮符号化に用いるようにすることが選択されている場合に、ユーザーからの記録開始要求を受け付けてから、実際に前記記録媒体に圧縮データの記録を開始するまでの間において、記録準備中であることをユーザーに通知するようにする通知手段を備えることを特徴とする。
【００１９】
この請求項４に記載の発明の撮像装置によれば、前記記録媒体に既に記録されている圧縮データを読み出して、新たに記録する映像信号の圧縮符号化に用いるようにすることが選択されている場合に、ユーザーからの記録開始要求を受け付けてから実際に前記記録媒体に圧縮データの記録を開始するまでの間においては、通知手段により、記録準備中であることがユーザーに通知される。これにより、実際に記録媒体に記録される映像がどこからであるかをユーザーが明確に通知され、これをユーザーが明確に認識することができるようにされる。
【発明の効果】
【００２０】
請求項１、請求項５に記載のこの発明の装置、方法によれば、記録開始指示を受けて、実際に記録開始するまでの時間を短縮することで、決定的瞬間の撮り逃しを防ぐことができ、目的とする被写体の映像を確実に記録することができる。
【００２１】
また、請求項２、請求項６に記載のこの発明の装置、方法によれば、記録開始指示を受けて、実際に記録開始するまでの時間を短縮するか否をユーザーが選択することができるようにされる。これにより、撮影対象などに応じて、いずれの方法を用いるかをユーザーが選択し、撮影対象に応じた撮影を行うことができる。また、記録開始までの時間を短縮しないようにした場合には、記録媒体に記録された圧縮符号化された映像データによる映像のつなぎ目をスムーズに再生することができるようにされる。
【００２２】
また、請求項３、請求項４、請求項７、請求項８に記載のこの発明の装置、方法によれば、記録開始指示を受けて、実際に記録開始するまでの間、記録準備中であることをユーザーに通知できるようにすることで、現在のシステムの状態をより正確に表現でき、ユーザーに与える操作上（利用上）の不安を少なくすることができる。
【発明を実施するための最良の形態】
【００２３】
以下、図を参照しながら、この発明の装置、方法の一実施の形態について説明する。以下に説明する実施の形態においては、この発明による装置、方法を、デジタルビデオカメラに適用した場合を例にして説明する。
【００２４】
［デジタルビデオカメラについて］
図１は、この発明の装置、方法の一実施の形態が適用されたデジタルビデオカメラを説明するためのブロック図である。図１に示すように、この実施の形態のデジタルビデオカメラは、カメラ部１０と、ＯＳＤ（On Screen Display）部２０、ベースバンド処理部３０、圧縮／伸張処理部４０、ＤＶ（Digital Video）処理部５０、テープデッキ部６０、デジタルインターフェース（以下、デジタルＩ／Ｆと略称する。）７０と、デジタル入出力端子７１を備えたものである。
【００２５】
また、この実施の形態のデジタルビデオカメラは、映像の出力端部として、Ｄ端子８１、ＬＣＤ８２、ＥＶＦ（Electro View Finder）８３、ＳＤ出力端子８４と、映像の入力端部として、ＳＤ入力端子９１を備えると共に、これらの各出力端部および入力端部に対応するインターフェース（図１においては、単にＩ／Ｆと記載。）８１ｉ、８２ｉ、８３ｉ、８４ｉ、９１ｉを備えたものである。また、各部を制御するための制御部１００を備えている。
【００２６】
制御部１００は、図１に示したように、ＣＰＵ（Central Processing Unit）１０１、ＲＯＭ（Read Only Memory）１０２、ＲＡＭ（Random Access Memory）１０３がＣＰＵバスを通じて接続されて構成されたマイクロコンピュータである。ＲＯＭ１０２は、フラッシュＲＯＭあるいはＥＥＰＲＯＭ（Electrically Erasable and Programmable ROM）であり、ＣＰＵ１０１において実行する各種のプログラムや処理に必要になるデータなどが記録されていると共に、ユーザーによって設定されるパラメータなどの設定情報も受け付けて、これを記憶保持することもできるものである。なお、以下において、ＲＯＭ１０２は、フラッシュＲＯＭであるものとして説明する。また、ＲＡＭ１０３は、処理の途中結果を一時記憶するなど主に作業領域として用いられるものである。
【００２７】
制御部１００には、種々の操作キー、操作ダイヤルなどが設けられた操作部１１０が接続され、この操作部１１０を通じてユーザーからの操作入力を受け付けることができるようにされている。これによって、制御部１００は、操作部１１０を通じて受け付けたユーザーからの指示入力（操作入力）に応じて各部を制御することができるようにされる。
【００２８】
また、この実施の形態のデジタルビデオカメラのカメラ部１０は、説明を簡単にするため、映像系と音声系とからなるものとしている。すなわち、カメラ部１０の映像系は、レンズ、フォーカス機構、シャッター機構、絞り（アイリス）機構などを備えた光学ブロック１１と、ＣＣＤ（Charge Coupled Device）１２と、前処理回路１３とからなっており、音声系は、マイクロホン１４と、入出力処理部１５と、Ａ／Ｄ（Analog/Digital）変換およびＤ／Ａ（Digital/Analog）変換を行う変換部１６と、音声出力端子１７とからなっている。
【００２９】
この実施の形態のカメラ部１０の映像系は、被写体の映像をアスペクト比が１６：９の映像として取り込むＨＤモードと、被写体の映像をアスペクト比が４：３の映像として取り込むＳＤモードとの２つの撮影モードを備え、ユーザーの指示入力に応じた制御部１００の制御によって、いずれの撮影モードで映像を撮影するかを切り替えることができるものである。
【００３０】
そして、操作部１１０を通じて撮影を行うようにする指示入力が受け付けると、制御部１００は、この実施の形態のデジタルビデオカメラの各部を制御し、撮影動作を開始する。この場合、光学ブロック１１は、制御部１００からの制御に応じて、フォーカス機構、シャッター機構、絞り機構が制御され、被写体の映像を取り込んで、これをＣＣＤ１２に対して提供する。
【００３１】
ＣＣＤ１２は、光学ブロック１１からの映像を光電変換して出力するものであり、光学ブロック１１からの被写体の映像を取り込むとともに、取り込んだ被写体の映像（画像情報）を電気信号として前処理回路１３に供給する。前処理回路１３は、これに供給された映像信号に対して、ＣＤＳ（Correlated Double Sampling）処理を行って、Ｓ／Ｎ比を良好に保つようにするとともに、ＡＧＣ（Automatic Gain Control）処理を行って、利得を制御し、さらに、Ａ／Ｄ（Analog/Digital）変換を行って、デジタル信号とした映像データＶｄ０を形成して、これをベースバンド処理部３０に供給する。
【００３２】
一方、撮影時において、マイクロホン１４を通じて集音された音声は、電気信号に変換され、入出力処理部１５において増幅されるなどの処理が行われ後に変換部１６に供給される。変換部１６は、入出力部１５からのアナログ音声信号をデジタル信号に変換し、この変換して得た音声データＡｕ０をベースバンド処理部３０に供給する。
【００３３】
ベースバンド処理部３０は、制御部１００からの制御に応じて、ＯＳＤ部２０からの撮影補助マーカーなど、映像データに対して合成すべきグラフィックスデータや文字データの供給を受けて、これをカメラ部１０からの映像データＶｄ０に対して合成するなどの処理を行って映像データを形成し、これを圧縮／伸張処理部４０、ＤＶ処理部５０、Ｄ端子８１、ＬＣＤ８２、ＥＶＦ８３、ＳＤ出力端子８４などの各部へ供給するものである。
【００３４】
そして、ベースバンド処理部３０において処理された映像データが、ＨＤモードで撮影されたアスペクト比が１６：９の映像データ（ＨＤ信号）である場合、ベースバンド処理部３０からの映像データ（ＨＤ信号）Ｖｄ１と音声データＡｕ１とは、圧縮／伸張処理部４０に供給される。圧縮／伸張処理部４０は、これに供給された映像データＶｄ１と音声データＡｕ１とを、例えば、ＭＰＥＧ（Moving Picture Experts Group）方式でデータ圧縮し（エンコードし）、データ圧縮した映像データと音声データとを多重化する。
【００３５】
圧縮／伸張処理部４０において映像データと音声データとが多重化されて形成された多重化データ（ＭＰＥＧ信号）は、テープデッキ部６０に供給され、これに装填されているＤＶ（Digital Video）テープに記録（録画）され、また、デジタルＩ／Ｆ７０、デジタル入出力端子７１を通じて出力することもできるようにされている。
【００３６】
なお、この実施の形態のデジタルビデオカメラにおいて、デジタルＩ／Ｆ７０、デジタル入出力端子７１は、例えば、ＩＥＥＥ（Institute of Electrical and Electronics Engineers）１３９４規格のインターフェースである。もちろん、デジタルＩ／Ｆ７０、デジタル入出力端子７１は、ＵＳＢ（Universal Serial Bus）規格などの他の規格のデジタルインターフェースを用いるようにすることも可能である。
【００３７】
また、ベースバンド処理部３０において処理された映像データが、ＤＶ方式の信号（ＤＶ信号）である場合には、ベースバンド処理部３０からの映像データ（ＤＶ信号）Ｖｄ２と音声データＡｕ２とは、ＤＶ処理部５０に供給される。ＤＶ処理部５０は、これに供給された映像データＶｄ２と音声データＡｕ２とを多重化する。
【００３８】
ＤＶ処理部５０において映像データと音声データとが多重化されて形成された多重化データは、テープデッキ部６０に供給され、これに装填されているＤＶ（Digital Video）テープに記録（録画）され、また、デジタルＩ／Ｆ７０、デジタル入出力端子７１を通じて出力することもできるようにされる。
【００３９】
なお、上述もするように、撮影時において、ベースバンド処理部３０は、カメラ部１１からの映像信号を、Ｄ端子８１、ＬＣＤ８２、ＥＶＦ８３、ＳＤ出力端子８４へも供給する。Ｄ端子８１は、例えばＨＤ信号をアナログ出力するためのアナログインターフェースである。この実施の形態のＤ端子は、４８０ｉ／４８０ｐ／１０８０ｉ／７８０ｐに対応可能なＤ４端子と呼ばれるものであり、アスペクト比が１６：９の映像信号を出力することができるものである。
【００４０】
なお、「４８０ｉ」、「４８０ｐ」のような表記において、数字部分は有効走査線数を示し、数字の後の文字「ｉ」はインターレース走査（飛び越し走査）方式の映像信号であることを示し、数字の後の文字「ｐ」はプログレッシブ走査（順次走査）方式の映像信号であることを示している。したがって、「４８０ｉ」は、有効走査線数４８０本のインターレース走査方式の映像信号であり、「４８０ｐ」は、有効走査線数４８０本のインターレース方式の映像信号であることを意味することになる。
【００４１】
また、ＬＣＤ８２、ＥＶＦ８３は、いずれもアスペクト比が１６：９の映像信号に対応することができるものである。また、ＳＤ出力端子８４は、アスペクト比が４：３のＳＤ信号であるアナログ映像信号用の出力端子である。そして、各出力端部８１、８２、８３、８４に対応して設けられたＩ／Ｆ８１ｉ、８２ｉ、８３ｉ、８４ｉのそれぞれは、ベースバンド処理部３０からの映像データを、対応する各映像出力端部に供給するアナログ映像信号に変換する機能を有するものである。
【００４２】
また、デジタル入出力端子７１、デジタルＩ／Ｆ７０を通じてＭＰＥＧ信号（ＭＰＥＧ方式でデータ圧縮された映像データと音声データの多重化信号）の供給を受けた場合、あるいは、テープデッキ部６０に装填されたＤＶテープからＭＰＥＧ信号が読み出された場合には、これらのＭＰＥＧ信号は、圧縮／伸張処理部４０に供給され、ここで映像データと音声データとに分離されるともに、データ伸張処理が施されて、データ圧縮処理前の元の映像データと音声データとが復元され、復元された映像データと音声データとがベースバンド処理部３０に供給される。
【００４３】
ベースバンド処理部３０は、圧縮／伸張処理部３０からの映像データと音声データとの供給を受け、映像データについては、Ｄ端子８１、ＬＣＤ８２、ＥＶＦ８３、ＳＤ出力端子８４に供給するようにする。また、音声データは変換部１６に供給して、ここでアナログ音声信号に変換した後、入出力処理部１５において例えば信号形式を整えるなどの処理が施されて、アナログ音声出力端子１７から出力するようにする。
【００４４】
同様に、デジタル入出力端子７１、デジタルＩ／Ｆ７０を通じてＤＶ信号（ＤＶ方式の映像データと音声データとが多重化されて形成された多重化信号）の供給を受けた場合やテープデッキ部６０に装填されたＤＶテープからＤＶ信号を読み出した場合には、ＤＶ信号は、ＤＶ処理部５０に供給され、ここで映像データと音声データとに分離されて、これらがベースバンド処理部３０に供給される。
【００４５】
そして、ベースバンド処理部３０においては、上述したＭＰＥＧ信号を再生処理する場合と同様に、ＤＶ処理部５０からの映像データと音声データとの供給を受け、映像データについては、Ｄ端子８１、ＬＣＤ８２、ＥＶＦ８３、ＳＤ出力端子８４に供給するようにする。また、音声データは変換部１６に供給して、ここでアナログ音声信号に変換した後、入出力処理部１５において例えば信号形式を整えるなどの処理が施されて、アナログ音声出力端子１７から出力するようにする。
【００４６】
また、デジタルＩ／Ｆを通じて受け付けたＭＰＥＧ信号やＤＶ信号をテープデッキ部６０に装填されたＤＶテープに記録するようにしたり、ＳＤ入力端子９１を通じて受け付けらＳＤ信号をテープデッキ部６０に装填されたＤＶテープに記録するようにしたりすることもできるようにされる。なお、Ｉ／Ｆ９１ｉは、ＳＤ入力端子９１を通じて受け付けたＳＤ信号をデジタル信号に変換するなどの機能を有するものである。
【００４７】
このように、この実施の形態のデジタルビデオカメラは、カメラ部１０を通じて撮影した映像信号と集音した音声信号とをデジタル信号にして、出力したり、ＤＶテープに記録したりすることができると共に、入出力端子や入力端子を通じて受け付けた映像信号や音声信号をデジタル信号に変換して出力したり、ＤＶテープに記録したりすることができるものである。また、ＤＶテープに記録した映像データや音声データ、あるいは、入出力端や入力端を通じて受け付けた映像データや音声データを再生して用いることもできるものである。
【００４８】
［テープデッキ部について］
次に、この実施の形態のデジタルビデオカメラのテープデッキ部６０の構成と動作について図２を参照しながら説明する。テープデッキ部６０は、大きく分けると、ＤＶテープ２０１が収納されたＤＶテープカセット２００が装填されるメカデッキ部６１と、テープモータや回転ヘッドシリンダの回転制御を行うなど、メカデッキ部６１の各部の駆動制御を行うサーボ回路６２とからなっている。サーボ回路６２は、制御部１００からの制御信号ＣＴによって、メカデッキ部６１の各部を制御することができるようにされている。
【００４９】
そして、この実施の形態のデジタルビデオカメラの電源を投入した後、ＤＶテープカセット２００を、このデジタルビデオカメラのテープデッキ部６１に装填すると、テープデッキ部６１のローディングメカニズムが機能し、ＤＶテープカセット２００内のＤＶテープ（磁気テープ）２０１を引き出し、予め設けられているテープ走行を補助するいくつかのローラを用いるようにして、図２に示すように、回転ヘッドシリンダ６１１にＤＶテープ２０１を巻回す。
【００５０】
そして、カメラ部１０を通じて撮影された映像の映像信号を圧縮／伸長処理部４０でＭＰＥＧフォーマットの映像データに変換して、これをＤＶテープ２０１に記録するようにするため、回転ヘッドシリンダ６１１が、サーボ回路６２により回転制御され、メカデッキ部６１は、ＤＶテープ２０１を現在のテープ位置から若干巻き戻るようにし、回転ヘッドシリンダ６１１は、次に記録開始したときの映像とつなぎ合わせて撮るために、テープに記録された映像データを読み出して、巻き戻り前のテープ位置に戻った後、記録待機状態になる。
【００５１】
この後、ユーザーからの記録開始指示を受けると、制御部１００は、サーボ回路６２に記録開始命令ＣＴを送り、サーボ回路６２は回転ヘッドシリンダ６１１が記録動作をするよう制御する。このようにして、撮影して得た映像データを、テープデッキ部２００に装填されたＤＶテープに記録することができるようにしている。
【００５２】
ところで、記録待機状態が規定時間経過すると、回転ヘッドシリンダ６１１の保護および消費電力削減などの目的で、制御部１００はサーボ回路６２に回転ヘッドシリンダ６１１が停止動作をするよう制御する。この回転ヘッドシリンダ６１１が停止状態のときにおいて、記録開始指示を受けると、制御部１００は、記録待機状態へ遷移するときのシーケンスを経て、記録動作制御を行う。
【００５３】
すなわち、サーボ回路６２は、停止していた回転ヘッドシリンダ６１１を回転させた後、カメラ部１０を通じて受け付けた映像データや音声データをＭＰＥＧフォーマットの多重化データ（ＭＰＥＧ信号）として記録するため、現在のテープ位置から若干巻き戻り、次に記録開始したときの映像とつなぎ合わせて撮るために、テープに記録されている圧縮データを読み出すようにし、巻き戻り前のテープ位置に戻った後、回転ヘッドシリンダ６１１が記録動作をするよう制御する。
【００５４】
ここで、既に記録されている圧縮データを読み出すようにするのは、次の理由による。すなわち、撮影して得た映像信号を予測符号化を用いる例えばＭＰＥＧ方式などの圧縮符号化方式で再生映像に乱れを発生させないようにデータ圧縮して記録媒体に記録するためには、直前に記録媒体に記録された圧縮データ（圧縮された映像データ）を考慮して圧縮符号化を行うようにする必要があるためである。
【００５５】
図３は、つなぎ撮りシーケンスについて説明するための図である。ＤＶテープには撮影することにより得た映像信号と音声信号とのそれぞれがデジタル信号に変換され、ＭＰＥＧ方式の圧縮符号化処理により圧縮符号化（データ圧縮）されると共に、これらが多重化されて、多重化データ（ＭＰＥＧ信号）として記録される。しかし、以下においては、説明を簡単にするため、被写体を撮影することにより得た映像信号のみが圧縮符号化され、圧縮データとしてＤＶテープに記録されており、これに新たに撮影することにより得た映像信号を圧縮符号化して記録する場合を例にして説明する。
【００５６】
図３に示すように、ＤＶテープ２０１の位置Ｐまで圧縮データが記録されているものとする。既にＤＶテープ２０１に記録されている圧縮データは、この実施の形態においては、ＭＰＥＧ方式で圧縮符号化されたものである。ＭＰＥＧ方式でデータ圧縮された映像データは、Ｉピクチャ、Ｂピクチャ、Ｐピクチャが所定の順番で出現するようにされ、１５ピクチャからなるＧＯＰ（Group Of Picture）が１つの処理単位とされる。
【００５７】
ＤＶテープ２０１に既に記録されている圧縮データに続けて、再生映像が乱れることがないように、新たに取り込んだ映像データを圧縮符号化して記録するためには、新たな映像データの記録の直前にＤＶテープ２０１に記録されている１ＧＯＰ分の映像データ（圧縮データ）を読み出し、これを新たに取り込んで記録する映像データの圧縮符号化処理に際して用いる。
【００５８】
これにより、ＤＶテープ２００に既に記録されている圧縮データ（図３においては位置Ｐよりも左側に記録されているデータ）につなぎ合わせるように、新たな映像データを圧縮符号化してＤＶテープ２０１に記録する場合に、違和感のない圧縮符号化された新たな映像データである圧縮データを形成し、これを位置Ｐ以降に記録することができるようにしている。
【００５９】
このように、既に圧縮データが記録されているＤＶテープに対して、新たに撮影して得た映像データを圧縮符号化してつなぎ撮りする場合において、回転ヘッドシリンダ６１１が停止状態から実際にＤＶテープに圧縮データの記録を開始するまでにかかる時間は、ＤＶテープに記録された圧縮データを読み出す工程を行う都合上、数秒かかる場合がある。
【００６０】
そこで、この実施の形態のデジタルビデオカメラにおいては、既に圧縮データが記録されているＤＶテープに対して、新たに撮影して得た映像データを圧縮符号化して記録する場合に、ＤＶテープに既に記録されている圧縮データを読み出すことなく、回転ヘッドシリンダ６１１に対してＤＶテープの記録位置を位置付けたら即座に、映像データを圧縮符号化して記録を開始することができるようにしている。
【００６１】
なお、この明細書においては、既に圧縮データが記録されているＤＶテープに対して、新たに撮影して得た映像データを圧縮符号化してつなぎ撮りする場合において、テープに記録されている圧縮データの内、最新に記録された所定量分（例えば１ＧＯＰ分）の圧縮データを読み出して、これを新たな映像データの圧縮符号化処理に用いるようにする従来からのモードをつなぎ撮りモードと呼ぶ。
【００６２】
また、既に圧縮データが記録されているＤＶテープに対して、新たに撮影して得た映像データを圧縮符号化して記録する場合において、ＤＶテープに記録されている圧縮データを読み出すことなく、即座に新たな映像データの圧縮符号化処理を行ってＤＶテープに記録を行うようにするモードであって、この実施の形態のデジタルビデオカメラにおいて利用可能になった新たなモードをクイック録画モードと呼ぶ。
【００６３】
図４は、従来からのつなぎ撮りモードと、新たに利用可能になったクイック録画モードとを説明するための図である。図４において、図４Ａはつなぎ撮りモードを、図４Ｂはクイック録画モードを説明するための図である。まず、従来からのつなぎ撮りモードについて、図４Ａを参照しながら説明する。
【００６４】
デジタルビデオカメラに電源が投入されたが、ユーザーからは動作指示はなく、デジタルビデオカメラが停止状態にある場合であって、図４Ａにおいて時点ｔ１のタイミングで制御部１００が操作部１１０を通じてユーザーからの録画指示（録画開始指示）を受け付けたとする。制御部１００は、録画指示を認識した後、テープデッキ部６０に対して、録画準備を行うようにする指示を出す。この録画指示を認識してから制御部１００がテープデッキ部６０に指示を出すまでに約１フレーム（図４においては１Ｆｒと記載）分のごく短い時間がかかる。
【００６５】
これに応じて、テープデッキ部６１は、図２を用いて説明したように、テープデッキ部６０に装填されているＤＶテープを次にデータを記録する位置に位置付ける処理を行うので、位置付けが完了するまで待ち時間となる。このＤＶテープの記録位置に回転ヘッドシリンダ６１１を位置付けるまでの期間が、図４Ｂにおいて「テープパス安定待ち」と示した期間であり、約２秒ほどの時間を必要とする。
【００６６】
そして、テープパスが安定した時点ｔ３以降においては、ＤＶテープを若干巻き戻し、既に記録されている圧縮データを読み出し、これを圧縮／伸長処理部４０に供給するようにする「録画済み動画データ（映像データ）取り込み」と示した期間であり、約４秒ほどの時間を必要とする。
【００６７】
この録画済み動画データ取り込み期間の後、制御部１００は、圧縮／伸長処理部４０やテープデッキ部６０を制御して、撮影することにより新たに得た映像データを圧縮符号化し、これをＤＶテープに記録するようにする。なお、録画済み動画データ取り込み期間の後、実際に新たに取り込んだ映像データを圧縮符号化してＤＶテープへの記録を開始するように制御部１００が指示を出すまでに、約１フレーム（図４においては１Ｆｒと記載）分の時間を要している。したがって、録画指示を受け付けた時点ｔ１から実際にＤＶテープに映像データを圧縮符号化して記録を開始した時点ｔ５までにかかる時間は、約６秒＋２フレーム分の時間となる。
【００６８】
これに対し、図４Ｂに示すクイック録画モードの場合には、テープパス安定待ちの状態が終了するまでの時点ｔ３までの処理は、図４Ａに示したつなぎ撮りモード時と同様の動作を行うことになる。すなわち、デジタルビデオカメラに電源が投入されたが、ユーザーからは動作指示はなく、デジタルビデオカメラが停止状態にあるときに、図４Ａの場合と同様に時点ｔ１のタイミングで制御部１００が操作部１１０を通じてユーザーからの録画指示（録画開始指示）を受け付けたとする。
【００６９】
制御部１００は、録画指示を認識した後、テープデッキ部６０に対して、録画準備を行うようにする指示を出す。この録画指示を認識してから録画準備の指示を出すまでに、約１フレーム（図４においては１Ｆｒと記載）分のごく短い時間が必要になっている。そして、テープデッキ部６１は、図２を用いて説明したように、テープデッキ部６０に装填されているＤＶテープを次にデータを記録する位置に位置付ける処理を行うので、位置付けが完了するまで待ち時間となる。このＤＶテープの記録位置に回転ヘッドシリンダ６１１を位置付けるまでの期間が、図４Ｂにおいて「テープパス安定待ち」と示した期間であり、約２秒ほどの時間を必要とする。
【００７０】
そして、図４Ｂに示すようにクイック録画モードの場合には、既に記録されている圧縮データの取り込みを行うことなく、テープパス安定待ちが終了した時点ｔ３の直後から１フレーム（１Ｆｒ）分の時間後に、制御部１００は、圧縮／伸長処理部４０、テープデッキ部６０を制御して、例えば、撮影することにより新たに得た映像データを圧縮符号化し、これがＤＶテープに記録するようにされる。したがって、録画指示を受け付けた時点ｔ１から実際にＤＶテープに圧縮符号化された映像データ（圧縮データ）の記録を開始した時点ｔ４ｘまでにかかる時間は、約２秒＋２フレーム分の時間となる。
【００７１】
このように、この実施の形態のデジタルビデオカメラにおいて利用可能なクイック録画モードの場合には、従来のつなぎ撮りモードの場合よりも４秒も速く、撮影して得た映像データのＤＶテープへの記録を開始することができるようにされる。したがって、従来のつなぎ撮りモードを用いる場合に比べ、撮影チャンスを逃すことがないようにすることができ、目的とする被写体の映像を確実にＤＶテープに記録することができるようにしている。
【００７２】
ところで、クイック録画モードの場合には、新たに記録する映像データを圧縮符号化する場合に、ＤＶテープに既に記録されている圧縮データを読み出して利用することがないので、記録する映像データの最初の部分の映像が若干乱れる可能性がある。このため、比較的に長い間、撮影を続行させておくのは、ＤＶテープの無駄やバッテリの消耗を招いてしまうのでできないが、かといって、録画チャンスは逃したくないといった場合には、クイック録画モードを用いるようにし、その他の場合には、従来のつなぎ撮りモードを用いるようにしたいとする要求もある。
【００７３】
そこで、この実施の形態のデジタルビデオカメラにおいては、従来からのつなぎ撮りモードと新たなクイック録画モードとをユーザーが選択できるようにし、これをいつでも変更することができるようにしている。
【００７４】
図５は、クイック録画モードの選択／非選択の設定入力を行うために、この実施の形態のデジタルビデオカメラのＬＣＤ８２の表示画面８２Ｇに表示されるクイック録画モードの選択／非選択の設定入力画面を説明するための図である。この図５に示す設定画面は、例えば、メニュー表示キーを押下操作した場合など、所定の操作が行われた場合に、ＬＣＤ８２の表示画面８２Ｇに表示されるメニューから、選択項目として用意された「クイック録画」をキー操作部１１０の矢印キーなどを操作することによりカーソルを位置付けて選択することにより、図５に示すクイック録画の設定画面が表示するようにされる。
【００７５】
この図５に示すクイック録画の設定画面においては、クイック録画を行うか否かの設定入力を受け付けるための選択表示ＭＳＧ１と、クイック録画を入（クイック録画オン）にした場合には、つなぎ撮り録画はできず、録画の最初の部分の映像がずれるなどする場合があることを警告するための表示ＭＳＧ２、この設定画面を終了させるための終了表示ＭＳＧ３とからなっている。
【００７６】
そして、具体的には、選択表示ＭＳＧ１において、操作部１１０の矢印キーなどを用いて、クイック録画モードを「切」にするために選択項目「切」にカーソルを位置付けるか、か、クイック録画モードで映像を記録するために選択項目「入」にカーソルを位置付け、所定の確認操作入力を行うことによって、クイック録画モードの「切」／「入」の選択ができるようにされる。
【００７７】
そして、クイック録画モードが「入」（クイック録画モードオン）の場合、映像を撮影して録画するようにした場合には、クイック録画モードにより、撮影映像を迅速にＤＶテープに記録することができるようにされる。
【００７８】
また、つなぎ撮りモードの選択設定も、例えば図５に示したクイック録画モードの場合と同様にして行うことが可能となる。ただし、つなぎ撮りモードとクイック録画モードとが共に「入」になることはなく、いずれかを「入」に設定する場合には、必ず他方を「切」にしておかなければならないようにされる。
【００７９】
もちろん、クイック録画モードを「入（オン）」に設定した場合には、つなぎ撮りモードを自動的に「切（オフ）」にするようにしたり、クイック録画モードを「切（オフ）」に設定した場合には、つなぎ撮りモードを自動的に「入（オン）」にするようにしたりすることも可能である。すなわち、後からの設定を有効なものとみなして、先の設定を変更するようにすることも可能である。
【００８０】
また、操作部１１０に、クイック録画モードのオン／オフキーを設け、これを直接操作することにより、録画のモードを簡単に切り替えるようにすることも可能である。
【００８１】
そして、上述のように、つなぎ撮りモードとクイック録画モードとをユーザーが任意に選択できるようにした場合であっても、つなぎ撮りモードを選択した場合には、図４Ａに示したように、録画の開始が指示されてから、実際に撮影するようにした映像データのＤＶテープへの記録が開始されるまでに６秒程度の時間がかかることになる。
【００８２】
このため、録画の開始が指示されてから、実際に撮影するようにした映像データのＤＶテープへの記録が開始されるまでの間において、録画準備中である旨の通知をユーザーに行い、実際にＤＶテープに記録される映像はどこからであるかを明確に通知することができるようにしている。
【００８３】
図６は、録画の開始が指示されてから、実際に撮影するようにした映像データのＤＶテープへの記録が開始されるまでの間において、ＤＶテープへの映像データの記録はまだ行われていないことを示す表示であって、ＬＣＤ８２の表示画面８２Ｇに表示される録画準備中を示す表示の表示例を説明するための図である。
【００８４】
図６（Ａ）の場合には、表示映像の多くを隠すことがなく、かつ、比較的に目立つ位置である表示画面８２Ｇの上端部に録画準備中を示すモード表示Ｍｄ１を行うようにした場合を示している。モード表示Ｍｄ１は、単に表示させるだけでもよいが、モード表示Ｍｄ１の表示／非表示を繰り返す態様、すなわち、モード表示Ｍｄ１を点滅表示させるようにしてもよい。
【００８５】
また、図６（Ｂ）の場合には、録画準備中であることを示す予め決められたアイコンＭｄ２を表示するようにした場合を示している。このアイコンは、種々のものを用いることが可能であり、この場合にも、アイコンの表示／非表示を繰り返すような態様、すなわち、点滅表示させるような態様で表示させるようにしてもよい。この場合、アイコン表示Ｍｄ２だけでもよいが、録画準備中を示すモード表示（図６（Ｂ）においては「スタンバイ」の文字を含む表示）を表示画面８２Ｇの上端部に同時に表示させるようにしてもよい。
【００８６】
また、図６（Ｃ）の場合には、録画準備中である旨を通知する文字情報Ｍｄ３を表示画面の中央部分に表示するようにした場合を示している。この場合においても、文字情報Ｍｄ３を表示／非表示を繰り返すような態様、すなわち、点滅表示させるような態様で表示させるようにしてもよい。この場合、文字表示Ｍｄ３だけでもよいが、録画準備中を示すモード表示（図６（Ｃ）においては「スタンバイ」の文字を含む表示）を表示画面８２Ｇの上端部に同時に表示させるようにしてもよい。
【００８７】
また、モード表示Ｍｄ１、アイコンＭｄ２、文字情報Ｍｄ３の表示位置は、図６に示した場合に限るものではなく、表示画面８２Ｇの種々の位置に表示させることが可能である。また、モード表示Ｍｄ１、アイコンＭｄ２、文字情報Ｍｄ３の内の任意の１つのみを表示するようにしてもよいし、任意に選択した２つを同時に表示して用いるようにしてもよい。また、モード表示Ｍｄ１、アイコンＭｄ２、文字情報Ｍｄ３の全部を用いるようにしてもよい。
【００８８】
このように、録画の開始が指示されてから、実際に撮影するようにした映像データのＤＶテープへの記録が開始されるまでの間において、録画準備中であることを通知する表示を工夫することによって、ユーザーが、例えつなぎ撮りモードを選択した場合であっても、まもなく記録が始まることをユーザーに対して明確に通知することができるようにされる。また、実際にＤＶテープに記録された映像はどこからであるかを明確に知ることができるので、後になって目的とする映像が記録できていなかったことに気づくなどの不都合を防止することも可能となる。
【００８９】
なお、ここでは、つなぎ撮りモードが選択されている場合において、録画の開始が指示されてから、実際に撮影するようにした映像データのＤＶテープへの記録が開始されるまでの間において、ＤＶテープへの映像データの記録はまだ行われていないことを示す表示を行うものとして説明したが、これに限るものではない。
【００９０】
上述したクイック録画モードが選択されている場合、従来からのつなぎ撮りモードの場合に比べれば、録画の開始が指示されてから、実際に撮影するようにした映像データのＤＶテープへの記録が開始されるまでの時間は約２秒と、つなぎ撮りモードの場合の約３分の１の時間に短縮される。しかし、録画の開始が指示されてから、実際に撮影するようにした映像データのＤＶテープへの記録が開始されるまでに若干の時間がかかるので、この間において、図６に示したような録画準備中を示す表示を行うようにしてもよい。
【００９１】
［記録制御方法について］
上述したこの実施の形態のデジタルビデオカメラの説明からも明らかなように、クイック録画モードが選択されている場合であって、既に圧縮データが記録されているＤＶテープに映像データを圧縮符号化して追加記録する場合、ユーザーにより録画スタート（ＲＥＣスタート）操作がされると、制御部１００は、テープデッキ部６０を制御して、回転ヘッドシリンダ６１１を回転させ、次に映像データを記録する位置にＤＶテープを位置付ける処理を行う。この処理の間が、図３Ｂに示したテープパス安定待ちとなる期間である。
【００９２】
そして、制御部１００は、テープパスが安定した後に、圧縮／伸長処理部４０とテープデッキ部６０とを制御して、記録媒体であるＤＶテープに既に記録されている圧縮データを用いることなく、撮影して得た映像データのみを所定の方式の圧縮符号化処理を行いながら（ステップ１）、圧縮符号化した映像データ（圧縮データ）のＤＶテープへの記録を開始する（ステップＳ２）。このように、クイック録画モードの場合には、記録媒体であるＤＶテープに既に記録されている圧縮データの読み出しは行わないので、撮影して得た映像データを圧縮符号化してＤＶテープへ記録する処理を迅速に開始させることができ、撮影機会の損失を最小限に抑えることができる。
【００９３】
また、上述したこの実施の形態のデジタルビデオカメラの場合には、従来からのつなぎ撮りモードと上述のクイック録画モードとの選択が可能である。そして、つなぎ撮りモードが選択されている場合には、制御部１００は、ユーザーにより録画スタート（ＲＥＣスタート）操作がされると、制御部１００は、テープデッキ部６０を制御して、回転ヘッドシリンダ６１１を回転させ、次に圧縮符号化された映像データを記録する位置にＤＶテープを位置付ける処理を行う。この処理の間が、図３Ａに示したテープパス安定待ちとなる期間である。
【００９４】
そして、制御部１００は、テープパスが安定した後に、現在のテープ位置から若干巻き戻り、次に記録開始したときの映像とつなぎ合わせて撮るために、ＤＶテープに既に記録されている圧縮データを読み出して、巻き戻り前のテープ位置に戻る処理を行う（ステップ１）。この記録済みの映像データの読み出し期間が、録画済みデータ取り込みの期間となる。
【００９５】
そして、制御部１００は、圧縮／伸長処理部４０とテープデッキ部６０とを制御して、初めに、ＤＶテープから読み出した既に記録されていた圧縮データをも用いて、撮影して得た映像データについて所定の方式の圧縮符号化処理を行いながら（ステップ２）、圧縮符号化した映像データのＤＶテープへの記録を開始する（ステップ３）。
【００９６】
このように、この実施の形態のデジタルビデオカメラにおいては、クイック録画モードが選択されている場合には、テープパス安定待ちの後、過去に記録した映像データを用いることなく記録対象の映像データのみの圧縮符号化処理（ステップ１）→圧縮符号化した映像データのＤＶテープへの記録（ステップ２）という２段階の処理を行うことになる。
【００９７】
一方、つなぎ撮りモードが選択されている場合には、テープパス安定待ちの後、録画済動画データ（記録済み映像データ）を取り込み（ステップ１）→ＤＶテープに既に記録されている圧縮データをも用いて記録対象の映像データの圧縮符号化処理を行い（ステップ２）→圧縮符号化した映像データのＤＶテープへの記録を行う（ステップ３）という３段階の処理を行うことになる。
【００９８】
このように、クイック録画モードの方が、従来からのつなぎ撮りモードの場合よりも、ＤＶテープに既に記録されている圧縮データの読み出しを行わない分、映像データのＤＶテープへの記録を迅速に行うことが可能になる。
【００９９】
なお、つなぎ撮りモードを搭載せずに、クイック録画モードのみを搭載したデジタルビデオカメラを構成するようにしてもよい。
【０１００】
このように、この実施の形態のデジタルビデオカメラの場合には、予測符号化を用いる圧縮符号化を行ってデータ圧縮した映像データを記録媒体に記録する場合に、既に記録媒体に記録されている直前の動画像データを取り込むための予備動作を行うことなく、迅速に撮影して得た映像データを記録媒体に記録させることができる。
【０１０１】
また、つなぎ撮りモード（つなぎ撮りシーケンスのため、実記録開始までの時間がかかる場合がある記録方法）と、クイック録画モード（つなぎ撮りを行わないが、実記録開始までの時間が短縮できる記録方法）とをユーザーが選択することができるようにされる。したがって、ユーザーは撮影対象などに応じて、つなぎ撮りモードとクイック録画モードとを操作部１１０の所定のキーを操作することによって、任意に選択することができるようにされる。
【０１０２】
また、記録開始要求から実記録開始までに、つなぎ撮りシーケンスなど時間がかかる処理をはさむ場合において、図６を用いて説明したように記録準備中であることをＬＣＤ等に表示することで、記録準備中であることをユーザーに明確に知らせることができるようにされる。
【０１０３】
なお、上述した実施の形態のデジタルビデオカメラにおいては、撮影することにより得た映像データは、ＭＰＥＧフォーマットにしたがって、圧縮符号化されるものとして説明したが、これに限るものではない。既に映像データが記録されている記録媒体に映像データを追加記録する場合において、予測符号化を用いるために記録媒体に既に記録されている圧縮データが必要になる種々の圧縮符号化方式を用いる場合にこの発明を適用することができる。
【０１０４】
また、上述の実施の形態においては、カメラ部１０を通じて撮影することにより得た映像データを記録する場合に、クイック録画モードを用いるものとして説明したが、これに限るものではない。例えば、ＳＤ入力端子を通じて外部から供給される映像信号をクイック録画モードで記録するなどのこともできる。
【０１０５】
また、用いる記録媒体は、ＤＶテープに限るものではなく、例えば、書き込み可能なＣＤ（Compact Disc）や書き込み可能なＤＶＤ（Digital Versatile Disc）などの光ディスク、ＭＤ（Mini Disc）などの光磁気ディスク、あるいは半導体メモリを用いたいわゆるメモリカードなど、種々の記録媒体を用いる場合にこの発明を用いることが可能である。
【図面の簡単な説明】
【０１０６】
【図１】この発明の装置、方法が適用されたデジタルビデオカメラを説明するためのブロック図である。
【図２】テープデッキ部を説明するための図である。
【図３】つなぎ撮り処理を説明するための図である。
【図４】つなぎ撮りモードとクイック録画モードとを説明するための図である。
【図５】クイック録画モードの選択／非選択の設定入力画面を説明するための図である。
【図６】ＬＣＤ８２の表示画面８２Ｇに表示される録画準備中を示す表示の表示例を説明するための図である。
【符号の説明】
【０１０７】
１０…カメラ部、１１…光学ブロック、１２…ＣＣＤ、１３…前処理回路、１４…マイクロホン、１５…入出力処理部、１６…変換部、１７…音声出力端子、２０…ＯＳＤ（On Screen Display）部、３０…ベースバンド処理部、４０…圧縮／伸張処理部、５０…ＤＶ（Digital Video）処理部、６０…テープデッキ部、７０…デジタルインターフェース、７１…デジタル入出力端子、８１…Ｄ端子、８２…ＬＣＤ、８３…ＥＶＦ、８４…ＳＤ出力端子、９１…ＳＤ入力端子、８１ｉ、８２ｉ、８３ｉ、８４ｉ、９１ｉ…インターフェース、１００…制御部、１０１…ＣＰＵ、１０２…ＲＯＭ、１０３…ＲＡＭ、１１０…操作部
【図１】
2006135606.tif 000003
【図２】
2006135606.tif 000004
【図３】
2006135606.tif 000005
【図４】
2006135606.tif 000006
【図５】
2006135606.tif 000007
【図６】
2006135606.tif 000008